(57)【特許請求の範囲】
【請求項１】
座席の後部より立設した支持枠の前面に、合成樹脂等の硬質弾性材からなる背凭れ板を取付け、該背凭れ板の前面にクッション体を取付けるようにした椅子において、背凭れ板の支持枠への取付手段として、前記支持枠および背凭れ板の左右端近傍の上部または下部のいずれか一方に、半円を越える円弧状で上向きに開口する左右方向の嵌合溝を設けた包持片を前向きに突設し、前記背凭れ板には、前記包持片と対応する位置に、前記嵌合溝に上方より圧嵌される左右方向の短軸形の膨出部を設け、この膨出部の直下に、前記支持枠の包持片が後方より嵌合される嵌合孔を穿設するとともに、他方の下部または上部に、前記支持枠に、係止頭部を先端に有する係合突起を前向きに突設し、前記背凭れ板には、前記係合突起と対応する位置に、これが後方より嵌合係止される係合孔を穿設し、かつ前記嵌合溝に圧嵌される膨出部を回動可能とすることにより、前記背凭れ板を、前記支持枠に撓曲変形可能に取り付けたことを特徴とする椅子。
【請求項２】
背凭れ板の膨出部を、該背凭れ板の前後に突出するようにして位置させたことを特徴とする請求項１に記載の椅子。
【請求項３】
背凭れ板の係合孔が、支持枠の係合突起を通過させる大径孔とこれに続いて上方に連設した小径長孔とからなるものである請求項１に記載の椅子。
【発明の詳細な説明】
【０００１】
【発明の属する技術分野】
本発明は、パーソナルコンピュータ等のＯＡ機器の操作に適するリクライニング式の椅子、特にその背凭れの取付構造に関する。
【０００２】
【従来の技術】
従来、この種のリクライニング式の椅子では、リクライニング時に、背凭れに体重の相当部分が印加され、背凭れ板が支持枠に対して撓曲し変形しがちである。
【０００３】
【発明が解決しようとする課題】
このような場合、背凭れ板を支持枠に剛に固定してあると、この固定部分に応力が集中して、この部分が破損し易い。
【０００４】
本発明は、上述の問題に鑑み、椅子におけるクッション体を支持する背凭れ板を、撓曲可能に支持枠に支持するとともに、背凭れ板の支持枠への取付部分に無理な負荷が加わって破壊されることがないようにした椅子を提供することを目的としている。
【０００５】
【課題を解決するための手段】
本発明によると、上記課題は、次のようにして解決される。
(１) 座席の後部より立設した支持枠の前面に、合成樹脂等の硬質弾性材からなる背凭れ板を取付け、該背凭れ板の前面にクッション体を取付けるようにした椅子において、背凭れ板の支持枠への取付手段として、前記支持枠および背凭れ板の左右端近傍の上部または下部のいずれか一方に、半円を越える円弧状で上向きに開口する左右方向の嵌合溝を設けた包持片を前向きに突設し、前記背凭れ板には、前記包持片と対応する位置に、前記嵌合溝に上方より圧嵌される左右方向の短軸形の膨出部を設け、この膨出部の直下に、前記支持枠の包持片が後方より嵌合される嵌合孔を穿設するとともに、他方の下部または上部に、前記支持枠に、係止頭部を先端に有する係合突起を前向きに突設し、前記背凭れ板には、前記係合突起と対応する位置に、これが後方より嵌合係止される係合孔を穿設し、かつ前記嵌合溝に圧嵌される膨出部を回動可能とすることにより、前記背凭れ板を、前記支持枠に撓曲変形可能に取り付ける。
【０００６】
(２) 上記(１)項において、背凭れ板の膨出部を、該背凭れ板の前後に突出するようにして位置させる。
【０００７】
(３) 上記(１)項において、背凭れ板の係合孔が、支持枠の係合突起を通過させる大径孔とこれに続いて上方に連設した小径長孔とからなるものである。
【０００８】
【発明の実施の形態】
【０００９】
本発明の椅子の一実施形態を、添付図面を参照しながら説明する。
【００１０】
図１は、本発明の椅子の背凭れの支持枠(１)と背凭れ板(２)とを分解状態で示す斜視図、図２は、支持枠(１)と背凭れ板(２)との取付部分の拡大側面図である。
【００１１】
図３及び図４に示すように、脚(３)上に回転可能に支持された支基(４)に、リクライニング機構(５)が取付けられている。背座シンクロリクライニングメカニズムとして知られるリクライニング機構(５)の上には、座部(６)が取付けられ、かつ、リクライニング機構(５)の後部には、側面視で前向くの字状に曲がった背凭れの支持枠(１)が支持されている。
【００１２】
図４から明らかなように、支持枠(１)は、リクライニング機構(５)の左右両側部から延びる縦杆(７)の上端同士を横杆(８)により連結して構成されている。
縦杆(７)の上部すなわち横杆(８)との連結部には、係止頭部(9a)を先端に有する係合突起(９)が、前向きに突設され、かつ縦杆(７)の下部前面には、半円を越える円弧状で、上向きに開口する左右方向の嵌合溝(10a)を有する包持片(10)が突設されている。
【００１３】
背凭れ板(２)は、図１及び図５に示すように、周辺部を除いて、エキスパンドメタル状の形状に中抜きされた硬質合成樹脂等の硬質弾性材の成型板であり、その上部の左右側端部には、支持枠(１)の上部の係合突起(９)に対応する位置に、この係合突起(９)が嵌合係止される係合孔(11)が穿設されている。係合孔(11)は、係合突起(９)を通過させる大径孔(11a)と、これに続いて上方に連設した小径長孔(11b)とからなるダルマ孔のものである
【００１４】
背凭れ板(２)の下部の左右側端部には、支持枠(１)の下部の包持片(10)と対応する位置に、嵌合溝(10a)に上方より圧嵌される左右方向の短軸形の膨出部(12)が形成されている。膨出部(12)の直下には、支持枠(１)の包持片(10)を後方より嵌合しうる嵌合孔(13)が穿設されている。
【００１５】
膨出部(12)は、側方から見たとき、背凭れ板(２)の前後に半分ずつ突出するように位置させてあり、その短軸形の直径は、包持片(10)の半円を越える円弧状で、上向きに開口する左右方向の嵌合溝(10a)の内径と実質的に等しいか、それよりも僅かに大きい程度とされている。
この膨出部(12)は、場合によっては、背凭れ板(２)の前方か後方に突出させてもよい。
【００１６】
支持枠(１)に背凭れ板(２)を取り付けるには、まず支持枠(１)の上部の左右側端部の係合突起(９)の係止頭部(9a)を、背凭れ板(２)の上部の左右側端部の係合孔(11)の大径孔(11a)に前方から挿入し、かつ、背凭れ板(２)の下部の左右側端部の嵌合孔(13)を、支持枠(１)の包持片(10)に引っかける。この状態は、図２に拡大して示されている。
【００１７】
次いで、背凭れ板(２)を押し下げると、上部では、支持枠(１)の係合突起(９)が背凭れ板(２)の係合孔(11)の小径長孔(11b)に落ち込み、係止頭部(9a)が小径長孔(11b)の前方に残るので、背凭れ板(２)の上部は、左右両端部において確実に支持枠(１)に係止される。
【００１８】
この時、下部では、背凭れ板(２)の支持枠(１)の短軸形の膨出部(12)が、包持片(10)の、半円を越える円弧状で上向きに開口する左右方向の嵌合溝(10a)に上方より圧嵌される。この状態では、包持片(10)は、嵌合孔(13)に左右方向に係止されるので、背凭れ板(２)は、左右方向には動くことはできないが、短軸形の膨出部(12)は、円弧状の嵌合溝(10a)により若干の回動可能に支持されることとなる。この最終状態は、図５及び図６に示されている。
【００１９】
また、他の実施形態として、前記した形態とは逆に、支持枠の左右端近傍の上部に、嵌合溝を設けた包持片を突設するとともに、下部に係合突起を突設し、背凭れ板に、前記包持片と対応する位置に短軸形の膨出部を、前記係合突起と対応する位置に係合孔を、それぞれ設けてもよい。
【００２０】
【発明の効果】
請求項１記載の発明によれば、背凭れ板を支持枠に簡単容易に取り付けることができ、またその取り外しも容易である。さらに、背凭れ板が着座者の背中に押されて、その上部が撓曲変形したり、リクライニング時に体重の相当部分が加わって、全体的に撓曲変形しても、包持片に嵌合された膨出部が回動することにより、背凭れ板、特にその取付部分に無理な負荷が加わって破壊されることが、有効に防止される。
また、背凭れ板を、その板厚部で支持するか、板前方のクッション体内で支持することができ、背凭れの厚さを実質的に減少させることができるとともに、背凭れ板が妄りに左右方向に移動することを防止することができる。
さらに、背凭れ板が左右方向に移動不能に取り付けられ、かつ、背凭れ板が着座者の背中に押されて、その上部が撓曲変形しても、包持片に嵌合された膨出部が回動することにより、背凭れ板、特にその取付部分に無理な負荷が加わって破壊されることを、有効に防止することができる。
【００２１】
請求項２記載の発明によれば、膨出部が背凭れ板と強固に一体になり、壊れにくい構造となる。
【００２２】
請求項３記載の発明によれば、簡単な構成で、確実な係止ができるばかりでなく、背凭れ板の撓曲変形に伴い、係合孔の小径長孔内で、係合突起の若干の上下方向の移動を許容することができ、背凭れ板が、リクライニング時に体重の相当部分が加わって、全体的に撓曲変形しても、背凭れ板、特にその取付部分に無理な負荷が加わって破壊されることを一層、有効に防止することができる。
【図面の簡単な説明】
【図１】  本発明の一実施形態である椅子の背凭れの支持枠の一部分と背凭れ板とを分解して示す斜視図である。
【図２】  同じく、支持枠と背凭れ板の連結部分を拡大して示す部分拡大側面図である。
【図３】  同じく、背凭れ板を取り付ける前の椅子の側面図である。
【図４】  図３に示した椅子の正面図である。
【図５】  背凭れ板を取り付けた状態の椅子の正面図である。
【図６】  図５に示した椅子の側面図で、クッション体を想像線により示す図である。
【符号の説明】
(１)支持枠
(２)背凭れ板
(３)脚
(４)支基
(５)リクライニング機構
(６)座部
(７)縦杆
(８)横杆
(９)係合突起
(9a)係止頭部
(10)包持片
(10a)嵌合溝
(11)係合孔
(11a)大径孔
(11b)小径長孔
(12)膨出部
(13)嵌合孔
(14)クッション体
【図１】
0004316748.tif 000002
【図２】
0004316748.tif 000003
【図３】
0004316748.tif 000004
【図４】
0004316748.tif 000005
【図５】
0004316748.tif 000006
【図６】
0004316748.tif 000007